(57)【特許請求の範囲】
【請求項１】
光ディスクを回転駆動する駆動手段と、前記光ディスクが音楽用ＣＤかコンピュータ用ＣＤ−ＲＯＭかを判別するディスク判別手段と、前記ディスク判別手段の判別結果に基づき音楽用ＣＤ再生モードとＣＤ−ＲＯＭ再生モードを選択的に起動するコントローラと、前記音楽用ＣＤの動作に関する指示する入力手段と、前記音楽用ＣＤ再生モード起動中に前記入力手段からの停止指示に基づいて前記駆動手段を停止するよう制御する制御手段とを有し、前記制御手段は、前記コンピュータ用ＣＤ−ＲＯＭ再生モード時に前記入力手段から前記音楽用ＣＤの動作に関する指示が入力されると、所定時間内における前記入力手段による指示回数が所定数を越えない場合には前記駆動手段の回転を停止せず、前記回数が前記所定数を越えた場合には前記駆動手段を停止することを特徴とする光ディスク再生装置。
【請求項２】
装置の動作状況を表示する表示手段を備え、前記制御手段は、前記コンピュータ用ＣＤ−ＲＯＭ再生モード時に前記入力手段から前記音楽用ＣＤの動作に関する指示が入力されると、所定時間内における前記入力手段による指示回数が所定数を越えない場合には前記駆動手段の回転を停止せず且つ前記表示手段にその旨表示し、前記回数が前記所定数を越えた場合には前記駆動手段を停止することを特徴とする請求項１に記載の光ディスク再生装置。
【請求項３】
光ディスクを回転駆動する駆動手段と、前記光ディスクが音楽用ＣＤかコンピュータ用ＣＤ−ＲＯＭかを判別するディスク判別手段と、前記ディスク判別手段の判別結果に基づき音楽用ＣＤ再生モードとＣＤ−ＲＯＭ再生モードを選択的に起動するコントローラと、前記音楽用ＣＤの動作に関する指示キーを有する入力手段と、前記音楽用ＣＤ再生モード起動中に前記入力手段からの停止指示に基づいて前記駆動手段を停止するよう制御する制御手段とを有し、
前記制御手段は、前記コンピュータ用ＣＤ−ＲＯＭ再生モード時に前記入力手段から前記音楽用ＣＤの動作に関する指示キーが押されると、所定時間内における前記入力手段による指示キーの押下回数が所定数を越えない場合には前記駆動手段の回転を停止せず、前記押下回数が前記所定数を越えた場合には前記駆動手段を停止することを特徴とする光ディスク再生装置。
【請求項４】
装置の動作状況を表示する表示手段を備え、前記制御手段は、前記コンピュータ用ＣＤ−ＲＯＭ再生モード時に前記入力手段から前記音楽用ＣＤの動作に関する指示キーが押されると、所定時間内における前記入力手段による指示キーの押下回数が所定数を越えない場合には前記駆動手段の回転を停止せず且つ前記表示手段にその旨表示し、前記押下回数が前記所定数を越えた場合には前記駆動手段を停止することを特徴とする請求項３に記載の光ディスク再生装置。
【請求項５】
光ディスクを回転駆動する駆動手段と、前記光ディスクが音楽用ＣＤかコンピュータ用ＣＤ−ＲＯＭかを判別するディスク判別手段と、前記ディスク判別手段の判別結果に基づき音楽用ＣＤ再生モードとＣＤ−ＲＯＭ再生モードを選択的に起動するコントローラと、前記音楽用ＣＤ再生時の再生動作を指示する入力手段と、前記音楽用ＣＤ再生モード起動中または前記ＣＤ−ＲＯＭ再生モード起動中に前記入力手段からの停止指示に基づいて前記駆動手段を停止するよう制御する制御手段とを有し、
前記制御手段は、前記ＣＤ−ＲＯＭ再生モード時に前記ＣＤ−ＲＯＭデータ再生中か否かを判断する判断手段と、所定時間内における前記入力手段による再生停止指示回数を計数する計数手段と、前記回数が所定数を超過したか否かを比較する比較手段とを備え、前記ＣＤ−ＲＯＭ再生モード時に前記入力手段から再生停止の指示入力がなされても、前記回数が所定数を越えない場合には前記駆動手段の回転を停止せず、前記回数が前記所定数を越えた場合には前記駆動手段を停止することを特徴とする光ディスク再生装置。
【請求項６】
装置の動作状況を表示する表示手段を備え、前記制御手段は、前記ＣＤ−ＲＯＭ再生モード時に前記入力手段から再生停止の指示入力がなされても、前記回数が所定数を越えない場合には前記駆動手段の回転を停止せず、且つ前記表示手段にその旨表示し、前記回数が所定数を越えた場合は、前記駆動手段を停止することを特徴とする請求項５に記載の光ディスク再生装置。
【発明の詳細な説明】
【０００１】
【発明の属する技術分野】
本発明はパーソナルコンピュータ、特にラップトップ型のコンピュータに接続し、大量の音声や文字、画像情報を記憶したＣＤ−ＲＯＭ等の光ディスクの再生を行う光ディスク再生装置、特にポータブル型で音楽用ＣＤとコンピュータ用ＣＤ−ＲＯＭを双方とも再生する事ができる８倍速以上の再生速度を有する光ディスク再生装置に関するものである。
【０００２】
【従来の技術】
近年、光ディスクは音楽用ＣＤのみならずＣＤ−ＲＯＭプレーヤ等のコンピュータ用のデータ再生装置がマルチメディアの中心的存在として急速に普及してきて、各分野で応用と高性能化への開発努力がなされている。なかでも、コンピュータの小型化に伴いラップトップ型パソコン用としてインターフェースカード等を介して接続可能な外付けタイプ（ポータブル型）の光ディスク再生装置としてのＣＤ−ＲＯＭプレーヤが増加してきている。これらＣＤ−ＲＯＭプレーヤーは検索速度の短縮（高速化）の要求に応じて今後８倍速以上の高速機器が増加するものとみられる。
【０００３】
従来の光ディスク再生装置としてのＣＤ−ＲＯＭプレーヤについて以下に説明する。ここで、ここで示すＣＤ−ＲＯＭプレーヤーは４倍速の中低速機器である。図４は従来のＣＤ−ＲＯＭプレーヤの装置ブロック図で、図５は、ＣＤ−ＲＯＭプレーヤーの外観斜視図である。図４において、１は光ディスク、２は光ディスク１を回転駆動するスピンドルモータ、３は光ディスク１に記録された情報を読み取る光学的再生手段の光ピックアップである。
【０００４】
図５において、１２は光ディスク装着部を覆っている開閉ドアであり、１３はその開閉ドアのオープンボタン、１４はプレーヤの電源スイッチ、９は停止ボタン９ａ，スキップボタン（逆方向）９ｂ，スキップボタン（順方向）９ｃからなるパネルスイッチ、１５は表示パネルである。
【０００５】
オープンボタン１３の押下により開閉ドア１２は開き、光ディスク１の出し入れを可能にする。パネルスイッチ９は音声データが記録された音楽用ＣＤに対してのみ再生、停止等を指示するためのものである。再生時間等の各種情報を表示パネル１５に表示する。
【０００６】
このように構成された従来の装置の動作について以下に説明する。光ピックアップ３から発したレーザー光が光ディスク１の記録面にあたり、反射して戻ってきた光を情報信号検出部４で情報信号として検出する。この情報信号がスピンドルモータ制御部５および信号処理部６に送られ、スピンドルモータ２を回転駆動させ、情報信号を処理する。信号処理部６に送られてきた情報はコントローラ７に送られその情報が音声データ（光ディスク１が音楽用ＣＤ等）かコンピュータデータ（光ディスク１がＣＤ−ＲＯＭ等）かを判断される。コントローラ７は、その情報が音声データの場合音楽用ＣＤ再生モードを起動し、パネルスイッチ９からの指示により再生、停止等がコントローラ７を通じて制御される。
【０００７】
ここで、音楽用ＣＤ再生モードでは、スピンドルモータ２は光ディスク１を等倍速で回転再生する。一方、コントローラ７に送られたデータがコンピュータデータの場合、コントローラ７はコンピュータ用ＣＤ−ＲＯＭ再生モードを起動し、インターフェース制御部８を介して外部コンピュータ（ホスト）からの司令に基づいてコントローラ７が制御を司る。ここで、コンピュータ用ＣＤ−ＲＯＭ再生モードでは、スピンドルモータ２は４倍速や８倍速等音楽用ＣＤ再生モードに比べ高速で回転再生され、一旦再生が開始されると、データ読み取り時以外でもＣＤ−ＲＯＭは回転しっぱなしの状態が継続する。
【０００８】
コンピュータデータが記録されたＣＤ−ＲＯＭ再生モードにおいては、コントローラ７はパネルスイッチ９からのＣＤ−ＲＯＭの読み取り、回転停止といった指示を受け付けず、外部コンピュータからでしかその動作を指示されない状態になっている。光ディスク１の取入れドア開閉検出部１０は装置内の光ディスク１の取出し等を行うときに開けるＣＤを覆っている開閉ドア１２の状態を検出し、その情報をコントローラ７に送る。オープンボタン１３の押下によって開閉ドアが開いた場合コントローラ７はスピンドルモータ制御部５に対してスピンドルモータ２の回転を停止させるよう司令を出し、読み取りを中止する。
【０００９】
従って、プレーヤ自身が持つ機能（パネルスイッチ等）によりコンピュータデータが記録されたＣＤ−ＲＯＭの強制的な回転停止を行うためには光ディスクを覆っている開閉ドア１２を開ける動作を行う事によってか又は、電源スイッチ１４を切ることになる。オープンボタン１３を押下すると開閉ドア１２は開きスピンドルモータ２は緊急停止し、光ディスク１の出し入れが可能となる。パネルスイッチ９は音声データが記録された音楽用ＣＤの再生モードいおいてのみ再生、停止等を指示可能とし、再生時間等の各種情報を表示パネル１５に表示する。上述したように、コンピュータデータが記録されているＣＤ−ＲＯＭ再生モードではパネルスイッチ９での動作コントロールはできず、プレーヤ自身の機能によりその回転を強制停止するためにはオープンボタン１３を押して開閉ドア１２を開くか電源スイッチ１４を切るかである。
【００１０】
【発明が解決しようとする課題】
しかしながら、近年コンピュータ用ＣＤ−ＲＯＭの再生に於いては検索速度高速化が進んでおり従来の４倍速程度の中低速に比べ高速な８倍速以上の再生速度が市場から要求されている。このような高速再生装置の場合上記従来の構成ではコンピュータデータが記録された光ディスクを読み取りする場合（コンピュータ用ＣＤ−ＲＯＭ再生モード）、再生、停止等の装置動作指示を外部機器（ホスト）からの指示のみに頼り、一旦再生が開始されると、ＣＤ−ＲＯＭは回転し続ける状態となり、ホストからの指示が無い限りＣＤ−ＲＯＭは回転している。特に、外付け型の光ディスク再生装置においては装置側からの光ディスクの強制的な回転停止は装置自身の電源停止または光ディスクを覆っている開閉ドアを開く方法でしか回転停止ができなかった。
【００１１】
このような状態において、光ディスクの交換際、直接再生装置の開閉ドア１２を開くと、高速回転しているＣＤ−ＲＯＭの回転停止は緊急的には行えず、停止動作が始まってから完全に停止するまでに時間を要す。そのため、開閉ドア１２を開いた直後はまだＣＤ−ＲＯＭの回転は継続されている。このように８倍速等の高速再生装置の場合、回転中の光ディスクの急停止が間に合わないという問題点を有していた。
【００１２】
本発明は上記従来の問題点を解決するもので、コンピュータデータが記録された光ディスク（ＣＤ−ＲＯＭ）再生モードにおいても装置側から強制的な光ディスクの回転停止が行える光ディスク再生装置を提供することを目的としている。
【００１３】
【課題を解決するための手段】
上記課題を解決するために本発明は、光ディスクを回転駆動する駆動手段と、光ディスクが音楽用ＣＤかコンピュータ用ＣＤ−ＲＯＭかを判別するディスク判別手段と、ディスク判別手段の判別結果に基づき音楽用ＣＤ再生モードとＣＤ−ＲＯＭ再生モードを選択的に起動するコントローラと、音楽用ＣＤの動作に関する指示する入力手段と、音楽用ＣＤ再生モード起動中に入力手段からの停止指示に基づいて駆動手段を停止するよう制御する制御手段とを有し、制御手段が、コンピュータ用ＣＤ−ＲＯＭ再生モード時に入力手段から音楽用ＣＤの動作に関する指示が入力されると、所定時間内における入力手段による指示回数が所定数を越えない場合には駆動手段の回転を停止せず、指示回数が所定数を越えた場合には駆動手段を停止するものである。
また本発明は、光ディスクを回転駆動する駆動手段と、光ディスクが音楽用ＣＤかコンピュータ用ＣＤ−ＲＯＭかを判別するディスク判別手段と、ディスク判別手段の判別結果に基づき音楽用ＣＤ再生モードとＣＤ−ＲＯＭ再生モードを選択的に起動するコントローラと、音楽用ＣＤの動作に関する指示キーを有する入力手段と、音楽用ＣＤ再生モード起動中に入力手段からの停止指示に基づいて駆動手段を停止するよう制御する制御手段とを有し、制御手段が、コンピュータ用ＣＤ−ＲＯＭ再生モード時に入力手段から音楽用ＣＤの動作に関する指示キーが押されると、所定時間内における入力手段による指示キーの押下回数が所定数を越えない場合には駆動手段の回転を停止せず、押下回数が所定数を越えた場合には前記駆動手段を停止するものである。
また本発明は、光ディスクを回転駆動する駆動手段と、光ディスクが音楽用ＣＤかコンピュータ用ＣＤ−ＲＯＭかを判別するディスク判別手段と、ディスク判別手段の判別結果に基づき音楽用ＣＤ再生モードとＣＤ−ＲＯＭ再生モードを選択的に起動するコントローラと、音楽用ＣＤ再生時の再生動作を指示する入力手段と、音楽用ＣＤ再生モード起動中またはＣＤ−ＲＯＭ再生モード起動中に入力手段からの停止指示に基づいて駆動手段を停止するよう制御する制御手段とを有し、制御手段が、ＣＤ−ＲＯＭ再生モード時にＣＤ−ＲＯＭデータ再生中か否かを判断する判断手段と、所定時間内における入力手段による再生停止指示回数を計数する計数手段と、計数した回数が所定数を超過したか否かを比較する比較手段とを備え、ＣＤ−ＲＯＭ再生モード時に入力手段から再生停止の指示入力がなされても、計数した回数が所定数を越えない場合には駆動手段の回転を停止せず、計数した回数が所定数を越えた場合には駆動手段を停止するものである。
【００１４】
【発明の実施の形態】
本発明の請求項１に記載の発明は、光ディスクを回転駆動する駆動手段と、光ディスクが音楽用ＣＤかコンピュータ用ＣＤ−ＲＯＭかを判別するディスク判別手段と、前記ディスク判別手段の判別結果に基づき音楽用ＣＤ再生モードとＣＤ−ＲＯＭ再生モードを選択的に起動するコントローラと、前記音楽用ＣＤの動作に関する指示する入力手段と、音楽用ＣＤ再生モード起動中に入力手段からの停止指示に基づいて駆動手段を停止するよう制御する制御手段とを有し、前記制御手段は、前記コンピュータ用ＣＤ−ＲＯＭ再生モード時に前記入力手段から前記音楽用ＣＤの動作に関する指示が入力されると、所定時間内における前記入力手段による指示回数が所定数を越えない場合には前記駆動手段の回転を停止せず、前記回数が前記所定数を越えた場合には前記駆動手段を停止するものである。これにより、ＣＤ−ＲＯＭ再生モード起動時においても音楽用ＣＤ再生モード起動時と同様の操作（光ディスク再生装置側のみの操作）でＣＤ−ＲＯＭの回転駆動を容易に停止する事ができるという作用を有するものである。また、ＣＤ−ＲＯＭ再生中（コンピュータとのデータ交信中）であっても故意に再生を停止したい場合には入力手段による回転駆動停止指示を連続的に行う事により、光ディスクの回転を停止させる事ができるという作用を有するものである。
【００１５】
本発明の請求項２に記載の発明は、装置の動作状況を表示する表示手段を備え、制御手段が、コンピュータ用ＣＤ−ＲＯＭ再生モード時に入力手段から音楽用ＣＤの動作に関する指示が入力されると、所定時間内における入力手段による指示回数が所定数を越えない場合には駆動手段の回転を停止せず且つ表示手段にその旨表示し、指示回数が所定数を越えた場合には駆動手段を停止するものである。これにより、操作者へ装置の現在の動作状況を表意できるという作用を有するものである。
【００１６】
次ぎに、本発明の請求項３に記載の発明は、光ディスクを回転駆動する駆動手段と、光ディスクが音楽用ＣＤかコンピュータ用ＣＤ−ＲＯＭかを判別するディスク判別手段と、ディスク判別手段の判別結果に基づき音楽用ＣＤ再生モードとＣＤ−ＲＯＭ再生モードを選択的に起動するコントローラと、音楽用ＣＤの動作に関する指示キーを有する入力手段と、音楽用ＣＤ再生モード起動中に入力手段からの停止指示に基づいて駆動手段を停止するよう制御する制御手段とを有し、制御手段が、コンピュータ用ＣＤ−ＲＯＭ再生モード時に入力手段から音楽用ＣＤの動作に関する指示キーが押されると、所定時間内における入力手段による指示キーの押下回数が所定数を越えない場合には駆動手段の回転を停止せず、押下回数が所定数を越えた場合には駆動手段を停止するものである。これにより、ＣＤ−ＲＯＭ再生モード起動時においても音楽用ＣＤ再生モード起動時と同様の操作（光ディスク再生装置側のみの操作）でＣＤ−ＲＯＭの回転駆動を容易に停止する事ができるという作用を有するものである。また、ＣＤ−ＲＯＭ再生中（コンピュータとのデータ交信中）であっても故意に再生を停止したい場合には入力手段による回転駆動停止指示を連続的に行う事により、光ディスクの回転を停止させる事ができるという作用を有するものである。
【００１７】
次ぎに、本発明の請求項４に記載の発明は、装置の動作状況を表示する表示手段を備え、制御手段が、コンピュータ用ＣＤ−ＲＯＭ再生モード時に入力手段から音楽用ＣＤの動作に関する指示キーが押されると、所定時間内における入力手段による指示キーの押下回数が所定数を越えない場合には駆動手段の回転を停止せず且つ表示手段にその旨表示し、押下回数が所定数を越えた場合には駆動手段を停止するものである。これにより、操作者へ装置の現在の動作状況を表意できるという作用を有するものである。
【００１８】
次ぎに、本発明の請求項５に記載の発明は、光ディスクを回転駆動する駆動手段と、光ディスクが音楽用ＣＤかコンピュータ用ＣＤ−ＲＯＭかを判別するディスク判別手段と、ディスク判別手段の判別結果に基づき音楽用ＣＤ再生モードとＣＤ−ＲＯＭ再生モードを選択的に起動するコントローラと、音楽用ＣＤ再生時の再生動作を指示する入力手段と、音楽用ＣＤ再生モード起動中またはＣＤ−ＲＯＭ再生モード起動中に入力手段からの停止指示に基づいて前記駆動手段を停止するよう制御する制御手段とを有し、制御手段が、ＣＤ−ＲＯＭ再生モード時にＣＤ−ＲＯＭデータ再生中か否かを判断する判断手段と、所定時間内における入力手段による再生停止指示回数を計数する計数手段と、計数した回数が所定数を超過したか否かを比較する比較手段とを備え、ＣＤ−ＲＯＭ再生モード時に入力手段から再生停止の指示入力がなされても、計数した回数が所定数を越えない場合には駆動手段の回転を停止せず、計数した回数が所定数を越えた場合には駆動手段を停止するものである。
次ぎに、本発明の請求項６に記載の発明は、装置の動作状況を表示する表示手段を備え、制御手段が、ＣＤ−ＲＯＭ再生モード時に前記入力手段から再生停止の指示入力がなされても、指示回数が所定数を越えない場合には駆動手段の回転を停止せず、且つ表示手段にその旨表示し、指示回数が所定数を越えた場合は、前記駆動手段を停止するものである。これにより、操作者へ装置の現在の動作状況を表意できるという作用を有するものである。
【００１９】
以下、本発明の実施の形態について、音楽用ＣＤとコンピュータ用ＣＤ−ＲＯＭの双方とも再生可能で、音声出力用のスピーカが内蔵されたポータブル型ＣＤ−ＲＯＭプレーヤーを例にとり説明する。尚、本装置はコンピュータ用ＣＤ−ＲＯＭの再生に際しては、音楽用ＣＤの再生速度（回転速度）に対して８倍速等の高速回転をしているものである。
【００２０】
図１は、本発明の一実施の形態における光ディスク再生装置のブロック図である。図２は、本発明の光ディスク再生装置の装置外観斜視図である。ここで、従来技術と同等の構成については同符号を付し、説明を省略する。２１は、コントローラで、光ピックアップ３から発したレーザー光が光ディスク１の記録面にあたり、反射して戻ってきた光を情報信号検出部４で情報信号として検出する。この情報信号がスピンドルモータ制御部５および信号処理部６に送られ、スピンドルモータ２を回転駆動させ、情報信号を処理すると共に、情報信号検出部４で読み取られた光ディスク１のＴＯＣ情報から装着された光ディスクが音楽用ＣＤかコンピュータ用ＣＤ−ＲＯＭかを判別するディスク判別手段２２を含み、音楽用ＣＤ再生モードとコンピュータ用ＣＤ−ＲＯＭ再生モードとを選択的に起動制御する。２６は、装置全体の動作プログラム等を記憶しているＲＯＭ、２７は、装置の動作状況等を表意する為の表示パネルで、本実施の形態の光ディスク再生装置では、ＬＣＤで構成されている。２８は、停止ボタン２８ａ，スキップボタン（逆方向）２８ｂ，スキップボタン（順方向）２８ｃ，再生／一時停止ボタン２８ｄを含む音楽用ＣＤ再生時の再生動作を指示する為の入力手段としてのパネルスイッチである。
【００２１】
ここで、コントローラ２１には、現在装着されている光ディスクがアクセス中（読み取り動作が行われているか）否かを判断する判断手段２３、再生動作の中止（停止）を装置側から指示する停止ボタン２８ａの押下回数をカウントする計数手段としてのカウンター２４、及びＲＯＭ２６に予め記憶されている数（本実施の形態では３とする）とカウンター２４でカウントされた数とを比較する比較手段２５とを含んでいる。
【００２２】
図３は本発明の一実施の形態における再生動作を示すフローチャート図である。これら図１から図３に基づいて以下の説明を行う。図１において、光ピックアップ３から照射されたレーザー光は光ディスク１のデータ記録面で反射され情報信号検出部４によって受光され、信号処理部６によりデータ処理される。信号処理部６で処理されたデータ信号はコントローラ２１送られ光ディスク１に記録された内容、情報が分析される。コントローラ２１は外部コンピュータ（ホスト）とのデータ送受信を行う為のインターフェース制御部８、パネルスイッチ２８及び開閉ドア１２の開閉状態を検出するＣＤ取入れドア検出部１０から指示信号を受け取り、スピンドルモータ制御部５、表示パネル２７にそれぞれスピンドルモータ２の回転駆動、表示パネル２７への表示等の制御を司っている。
【００２３】
以上のように構成された光ディスク再生装置についてその動作を説明する。図３は本発明の一実施の形態における再生動作のフローチャートである。装置の電源がＯＮの状態で、光ディスク１が装着され開閉ドア１２が閉じられるとＣＤ取入ドア検出部１０が開閉ドア１２が閉じられた事を検出し、コントローラ２１へその信号が送られる。コントローラ２１は、その信号を受信するとスピンドルモータ制御部５にスピンドルモータ２の回転駆動を指示すると共に光ピックアップ３、情報信号検出部４、信号処理部６を制御し光ディスク１のＴＯＣ領域の情報の読み取り動作を行う。光ピックアップ３から照射されたレーザー光は光ディスク１のデータ記録面で反射され情報信号検出部４によって受光され、信号処理部６によりデータ処理される（ステップ１）。ここで、ＴＯＣとは光ディスク１内周領域にＣＤ−ＲＯＭ規格で設けられた光ディスクのデータ品種（音声データか文字・画像データか、あるいは音声データ再生時間、等のデータが記録されている領域である。
【００２４】
読み取られたデータはコントローラ２１に送られ、ディスク判別手段２２によってその内容が音声データ（オーディオＣＤ等）であるかコンピュータデータ（ＣＤ−ＲＯＭ等）であるかが処理される（ステップ２）。その内容が音声データ（装着された光ディスクが音楽用ＣＤ）である場合、コントローラ２１は音楽用ＣＤ再生モードを起動し、パネルスイッチ２８から情報受け入れ（動作指示受入れ）可能とし（ステップ３）、スイッチボタン２８からの再生、停止等の指示により動作するよう制御する（ステップ４）。
【００２５】
一方、ステップ２において、再生されたデータがコンピュータデータ（装着された光ディスクがコンピュータ用ＣＤ−ＲＯＭ）と判別された場合、コンピュータ用ＣＤ−ＲＯＭモードを起動しインターフェース制御部８を介して外部コンピュータとのデータの送受信を可能な状態とする。このモードに於いては、基本的に装置の動作指示は外部コンピュータからの指示をコントローラ２１が受ける事により行われるが、本発明においては、パネルスイッチ２８の停止ボタン２８ａの動作（指示）は受け付けるようＲＯＭ２６にプログラムされている（ステップ５）。
【００２６】
ＣＤ−ＲＯＭ再生モードにおいて、外部コンピュータから一旦データ読み取り司令がなされると、スピンドルモータ２は基本的には連続回転状態となる。従って、光ディスク１は連続回転する。ここで、本モードではスピンドルモータは２は８倍速の高速回転をしている。この状態においてＣＤ−ＲＯＭ交換のために停止ボタン２８ａが押下されると（ステップ６）、コントローラ２１内の判断手段２３が外部コンピュータとアクセス中かどうかの判断を行う（ステップ７）。
【００２７】
そしてコントローラ２１がインターフェース制御部８を介して外部コンピュータとアクセス中でなければ、コントローラ２１はスピンドルモータ制御部５へモータの回転を止める司令を行う（ステップ８）。逆にステップ７でアクセス中であると判断した場合には、コントローラ２１内のカウンタ２４はある所定時間内（５秒程度）に光ディスク回転停止指示の停止ボタン２８ａが何回押下されたかをカウントする。このカウント数とＲＯＭ２６に予め記憶されている数（３）との比較を比較手段２５で行う（ステップ９）。カウント数が３を越えた場合には、外部コンピュータとのアクセスを中止し、スピンドルモータ制御部５に対してスピンドルモータ２の停止を指示する（ステップ１０）。
【００２８】
一方、ステップ９でカウント数が３に満たない場合には、表示パネル２７に停止不可（もしくは“停止要求は無視されました”等の表示）を表示し（ステップ１１）、外部コンピュータとのアクセスを継続する（ステップ５）。すなわち、たとえ再生装置が外部コンピュータとアクセス中であっても停止ボタン２８ａを一定時間内に複数回押せば、光ディスク１の回転を停止できることになる。
【００２９】
【発明の効果】
以上のように本発明は、本来音楽用ＣＤ再生モードでのみ使用される装置側動作指示入力手段としての再生停止ボタンの作用を本来外部コンピュータからの動作指示にのみ基づく動作すべきコンピュータ用ＣＤ−ＲＯＭ再生モードにおいて実行可能となるようしたもので、これにより、ＣＤ−ＲＯＭ再生中（回転中）にＣＤ−ＲＯＭ交換を行う場合、予めＣＤ−ＲＯＭの回転を装置側の指示で停止した後行う事ができる為、開閉ドアをいきなり開く事によるＣＤ−ＲＯＭの緊急停止ではまだ完全に停止していない状態での開閉ドアのオープン等によるディスクの飛び出し等を防止できるという効果を奏することができるものである。
【図面の簡単な説明】
【図１】本発明の一実施の形態におけるブロック図
【図２】本発明の一実施の形態における装置外観斜視図
【図３】本発明の一実施の形態における再生動作のフローチャート
【図４】従来のＣＤ−ＲＯＭプレーヤのブロック図
【図５】従来のＣＤ−ＲＯＭプレーヤの外観斜視図
【符号の説明】
１  光ディスク
２  スピンドルモータ
３  光ピックアップ
２１  コントローラ
２２  ディスク判別手段
２３  判断手段
２４  カウンタ
２５  比較手段
２６  ＲＯＭ
２７  表示パネル
２８  パネルスイッチ
【図１】
0003843508.tif 000002
【図２】
0003843508.tif 000003
【図３】
0003843508.tif 000004
【図４】
0003843508.tif 000005
【図５】
0003843508.tif 000006